(57)【要約】【課題】３つ以上の複数の光源を備えたプロジェクタにおいて、光量のロスおよび光路の合成部分を小さくする技術の提案が課題であった。【解決手段】ランプの数に合わせた角錐面数を有する角錐形状の反射部材８０によって、ランプ２０，３０，４０，５０から射出される照明光をライトバルブの方向に反射することができる。また、角錐面の大きさに応じて照明光を集光するので、ライトバルブの方向に反射する照明光の光量ロスが抑制される。従って、ランプの数が増加しても、反射部材８０を特段大きくすることなく、増加したランプの数に応じて角錐面の数を多くすればよいので、光学系が大きくなることが抑制される。【選択図】図２
2010073517.tif 000002
【特許請求の範囲】
【請求項１】
光変調デバイスに対して照明光を射出する照明装置であって、
複数の光源と、複数の反射面が設けられた反射部材と、を備え、
前記複数の光源は少なくとも第１乃至第３の光源を含み、
前記複数の反射面は少なくとも第１乃至第３の反射面を含み、
前記第１の光源から射出された第１の光は前記第１の反射面によって反射され、
前記第２の光源から射出された第２の光は前記第２の反射面によって反射され、
前記第３の光源から射出された第３の光は前記第３の反射面によって反射され、
反射された前記第１乃至第３の光は前記照明光として射出され、
前記第１乃至第３の反射面の各々は、角錐形状を構成する角錐面の少なくとも一部を形成するように設けられていることを特徴とする照明装置。
【請求項２】
請求項１に記載の照明装置であって、
前記複数の光源のうち少なくとも１つの光源には、該光源から射出された前記光を、該光が反射される前記反射面に照射するための集光手段が設けられていることを特徴とする照明装置。
【請求項３】
請求項２に記載の照明装置であって、
前記複数の光源のうち少なくとも１つの光源は、発光部と反射鏡とを有し、該光源に設けられた前記集光手段は、該光源が有する前記反射鏡であることを特徴とする照明装置。
【請求項４】
請求項１ないし３のいずれか一項に記載の照明装置であって、
前記第１の光は赤色光であり、前記第２の光は緑色光であり、前記第３の光は青色光であることを特徴とする照明装置。
【請求項５】
請求項１ないし４のいずれか一項に記載の照明装置であって、
前記複数の反射面のうち少なくとも１つの反射面の反射面形状が、他の反射面の反射面形状と異なることを特徴とする照明装置。
【請求項６】
照明光を光変調する光変調デバイスと、当該光変調デバイスに対して前記照明光を照射する請求項１ないし５のいずれか一項に記載の照明装置と、を備えるプロジェクタ。
【発明の詳細な説明】
【技術分野】
【０００１】
本発明は、照明装置、およびこの照明装置を備えたプロジェクタに関する。
【背景技術】
【０００２】
プロジェクタは、ライトバルブとも称する光変調デバイスと照明装置を備え、照明装置から射出される所定の波長帯域を有する照明光を、光変調デバイスを透過する際に画素毎に光変調し、表示する画像に応じた照度に調節して所定の距離を隔てて設置されたスクリーンに投射して、画像を表示する装置である。
【０００３】
近年、プロジェクタは、明るい環境下でも画像が視認できるように、投射画像を明るくすることが行われており、種々の方法が提案されている。その一つとして、特許文献１には、照明装置に設けられた光源を２つ用いる技術が提案されている。この技術は、２つの光源からの照明光を集光して反射することにより、照明光を互いに重なった状態で光変調デバイスに入射させ、投射される画像の輝度を高くするものである。
【０００４】
ところで、照明装置あるいはプロジェクタにおいて光源を２つ用いた場合は、光量のロスを抑制しつつ光路の合成を行うために、照明装置あるいはプロジェクタが大きくなってしまう虞がある。これに鑑みて、特許文献２には、このように２つの光源を用いたプロジェクタにおいて、光量のロスおよび光路の合成部分を小さくする技術が提案されている。
【０００５】
【特許文献１】特開平６−２４２３９７号公報
【特許文献２】特開２００２−７２０８３号公報
【発明の開示】
【発明が解決しようとする課題】
【０００６】
しかしながら、特許文献１および特許文献２で提案された技術は、光源が２つの場合について適用可能であって、更に多くの光源を用いたプロジェクタにおいて、特許文献１及び特許文献２に開示された技術を適用することは困難である。従って、３つ以上の複数の光源を備えたプロジェクタにおいて、光量のロスおよび光路の合成部分を小さくする技術の提案が課題であった。
【課題を解決するための手段】
【０００７】
本発明は、上述の課題の少なくとも一部を解決するためになされたものであり、以下の形態または適用例として実現することが可能である。
【０００８】
［適用例１］光変調デバイスに対して照明光を射出する照明装置であって、複数の光源と、複数の反射面が設けられた反射部材と、を備え、前記複数の光源は少なくとも第１乃至第３の光源を含み、前記複数の反射面は少なくとも第１乃至第３の反射面を含み、前記第１の光源から射出された第１の光は前記第１の反射面によって反射され、前記第２の光源から射出された第２の光は前記第２の反射面によって反射され、前記第３の光源から射出された第３の光は前記第３の反射面によって反射され、反射された前記第１乃至第３の光は前記照明光として射出され、前記第１乃至第３の反射面の各々は、角錐形状を構成する角錐面の少なくとも一部を形成するように設けられていることを特徴とする。
【０００９】
この構成によれば、角錐面を反射面とし、少なくとも光源の数に合わせた角錐面の数を有する反射部材によって光源から射出される光を光変調デバイスの方向に反射することができる。従って、光源の数が増加しても、増加した数に応じて角錐面の数を多くすればよい。この結果、光源を少なくとも３つ以上備える場合であっても、反射部材が大きくならず、光学系が大きくなることを抑制することができる。
【００１０】
［適用例２］上記照明装置であって、前記複数の光源のうち少なくとも１つの光源には、該光源から射出された前記光を、該光が反射される前記反射面に照射するための集光手段が設けられていることを特徴とする。
【００１１】
この構成によれば、角錐面の大きさに応じて光源から射出された光を集光するので、光変調デバイスの方向に反射する光の反射時の光量ロスが抑制される。
【００１２】
［適用例３］上記照明装置であって、前記複数の光源のうち少なくとも１つの光源は、発光部と反射鏡とを有し、該光源に設けられた前記集光手段は、該光源が有する前記反射鏡であることを特徴とする。
【００１３】
この構成によれば、光源の反射鏡によって光源から射出する光を集光するので、集光手段を別部材で備える必要がない。
【００１４】
［適用例４］上記照明装置であって、前記第１の光は赤色光であり、前記第２の光は緑色光であり、前記第３の光は青色光であることを特徴とする。
【００１５】
この構成によれば、照明装置は、光学系が大きくなることなく光源を少なくとも３つ以上備えることができる。そこで、各光源から射出する光を、赤、緑、青のいずれかの色に相当する波長光とすることによって、カラー表示が容易となる。
【００１６】
［適用例５］上記照明装置であって、前記複数の反射面のうち少なくとも１つの反射面の反射面形状が、他の反射面の反射面形状と異なることを特徴とする。
【００１７】
この構成によれば、反射面の形状を異ならせることによって、反射面の法線方向を調節することができる。従って、光源の配置位置に合わせて反射面の方向を調節することが可能である。あるいは、反射面の形状を異ならせることによって、反射面の面積を大きくすることができる。従って、光源から射出される光の光量に応じて反射面を大きくすることによって、光源から射出される光の反射時における光量ロスを抑制することができる。
【００１８】
［適用例６］照明光を光変調する光変調デバイスと、当該光変調デバイスに対して前記照明光を照射する上記照明装置と、を備えるプロジェクタ。
【００１９】
このプロジェクタによれば、複数の光源を備えても光学系が大きくなることを抑制したプロジェクタを実現することができる。
【発明を実施するための最良の形態】
【００２０】
以下、本発明を実施例に基づいて説明する。図１は、本発明を具現化した一実施例となる照明装置１００、およびこの照明装置１００を備えたプロジェクタ１０の構成概要を説明する説明図である。なお、以降本実施例の説明に際して用いる図面は、必要に応じて長さや大きさを誇張して図示しており、実際の長さや大きさとは異なる場合がある。
【００２１】
プロジェクタ１０は、スクリーン１８に投射する画像を形成する光変調デバイスとしてのライトバルブ１５と、このライトバルブ１５に対して照明光を照射する照明装置１００を備えている。照明装置１００から射出された照明光は、レンズ１１とレンズ１２によってライトバルブ１５の画像表示領域を照射する光束に集束され、その後、ライトバルブ１５を通過する際に、表示画像に応じて光変調される。光変調された照明光は、投射レンズ１６によって、スクリーン１８上に投射画像として投射される。
【００２２】
ここで、プロジェクタ１０において、照明装置１００から射出される照明光が円形の光束を有し、ライトバルブ１５の画像表示領域が矩形形状を有する場合は、レンズ１１からライトバルブ１５に至る光路中に、図示しないインテグレータレンズ（フライアイレンズ）を介在させて円形光を矩形光に変換する周知構成を採用することが可能である。
【００２３】
また、プロジェクタ１０は、照明装置１００からの照明光を所定の波長を有する光に分光し、各分光光を複数のライトバルブ１５によって光変調し、その後各光変調された分光を集光して投射する構成を採用することも可能である。例えば、図示しないが、照明光をダイクロイックミラーなどによってＲ（赤）光、Ｇ（緑）光、Ｂ（青）光に分光し、分光したＲ光、Ｇ光、Ｂ光を３枚のライトバルブ１５を用いてそれぞれ光変調し、その後クロスプリズムなどで集光する構成としてもよい。従って、本実施例において図１に示した光学構成は、照明装置１００から射出された照明光について、スクリーン１８に投射画像が投射されるまでの原理的な一構成を示すものである。
【００２４】
次に照明装置１００について説明する。なお本実施例では、以降の説明の都合上、図１において、図面左右方向をＸ方向（右方向をプラス方向）とし、Ｘ方向に交差する方向つまり図面表裏方向をＹ方向（表側をプラス方向）とする。また、図面上下方向をＺ方向（上側をプラス方向）とする。従って、Ｘ方向とＹ方向が作るＸＹ面はレンズ１１と略平行な面であり、Ｚプラス方向は、ＸＹ面と垂直方向であってライトバルブ１５に対する照明光の照射方向となる。
【００２５】
照明装置１００は、本実施例では光を射出する４つの光源としてのランプ２０，３０，４０，５０と、反射部材８０と、反射部材８０で反射される光に対するコリメータレンズとして機能するレンズ９０とを有している。ランプ２０とランプ４０は、光の射出方向がＸ方向において互いにほぼ反対方向となるように互いに対向配置されている。また、ランプ３０とランプ５０は、光の射出方向がＹ方向において互いにほぼ反対方向となるように対向配置されている。
【００２６】
反射部材８０は、本実施例では、正四角錐の形状を有するガラスの４つの角錐面に、アルミニウムなどの光反射材料を蒸着等によって塗布して反射層を形成したものである。もとより、ガラス以外に、金属材料やセラミック材料を用いてもよい。また、ガラス板にアルミニウムなどの光反射材料を蒸着等によって塗布して反射層を形成した反射板で、各角錐面を構成した正四角錐としてもよい。
【００２７】
ランプ２０，３０，４０，５０は、高圧水銀ランプやキセノンランプ、あるいはメタルハライドランプやＬＥＤランプなどが採用可能であり、発光部が発光する光を、反射鏡による反射を行うなどして射出する。従って、各ランプ２０，３０，４０，５０は、反射鏡などの形状に応じて所定の照射領域範囲を有する光束を射出する。本実施例では、照射領域範囲は円形であるものとする。もとより、円形以外（例えば矩形）であってもよい。
【００２８】
各ランプ２０，３０，４０，５０から射出された各光束は、集光手段としての集光レンズでそれぞれ集光され、正四角錐の形状を呈する反射部材８０を照射する。例えば、図１において網掛け部分で示したように、ランプ２０から射出される光の光束は集光レンズ２１で集光されたのち、正四角錐の角錐面を形成する反射面を照射する。一方、ランプ２０と対向配置されたランプ４０から射出される光の光束は集光レンズ４１で集光されたのち、正四角錐の角錐面を形成する反射面を照射する。
【００２９】
同様に、ランプ３０から射出される照明光の光束、ランプ３０と対向配置されたランプ５０から射出される照明光の光束は、それぞれ集光レンズ（不図示）で集光されたのち、正四角錐の角錐面を形成する反射面を照射する。
【００３０】
その後、各反射面に照射された光は、各反射面において光変調デバイスを照射する方向、つまりレンズ９０の方向に反射される。レンズ９０は、反射される光を、平行光に変換し、照明光として射出してプロジェクタ１０のレンズ１１を照射する。このように、各ランプ２０，３０，４０，５０から射出する光は照明装置１００から射出する照明光となることから、以降、各ランプ２０，３０，４０，５０から射出する光を、照明光とも称することとする。
【００３１】
各ランプ２０，３０，４０，５０から射出される各照明光の反射の様子について、図２を用いて補足説明する。図２は、ランプ２０，３０，４０，５０、集光レンズ２１，３１，４１，５１、反射部材８０の配置状況を示した斜視図である。なお、図２においては、図面を簡略化するため、光束をその光軸に相当する一本の直線で代用表示している。
【００３２】
図示するように、ランプ２０とランプ４０は、互いにＸ方向においてオフセットされて配置されている。本実施例では、ランプ４０がＸ方向のプラス側に位置する。そして、ランプ２０からは、Ｘプラス方向に光束２５が射出され、ランプ４０からは、光束２５と逆方向となるＸマイナス方向に光束４５が射出される。また、ランプ３０とランプ５０は、互いにＹ方向においてオフセットされて配置されている。本実施例では、ランプ５０がＹ方向のプラス側に位置する。そして、ランプ３０からは、Ｙプラス方向に光束３５が射出され、ランプ５０からは、光束３５と逆方向となるＹマイナス方向に光束５５が射出される。
【００３３】
ランプ２０から射出する光束２５は、集光レンズ２１によって集光され、図中一点鎖線にて示したように、反射部材８０の１つの反射面内に照射される。言い換えれば、集光レンズ２１は、反射面を照射する光束２５の照射範囲が、反射面内になるように集光する。
【００３４】
その後、集光された光束２５は、図示するように、反射面つまり正四角錐の１つの角錐面によって、レンズ９０の方向つまりＺプラス方向に反射される。言い換えれば、正四角錐の１つの角錐面の角度（例えば底面に対する傾斜角度）は、照射される光束２５がＺ方向に反射されるように設定されている。ちなみに、本実施例では、正四角錐の底面はＸＹ面と平行であって、各角錐面の傾斜角度（鋭角部分）は底面に対して４５度に設定されている。
【００３５】
他のランプ３０，４０，５０から射出される各光束３５，４５，５５も、光束２５と同様に反射部材８０において反射される。従って、ここでは、説明を省略する。こうして、反射部材８０に照射される各光束２５，３５，４５，５５は、総て同じＺプラス方向に反射され、レンズ９０に入射する。
【００３６】
各光束２５，３５，４５，５５がレンズ９０へ入射する様子を、図３を用いて説明する。図３は、照明装置１００をＺプラス方向から見た状態を示した模式図である。図３（ａ）は、各ランプ２０，３０，４０，５０から射出された各光束２５，３５，４５，５５の反射部材８０における反射位置を示し、図３（ｂ）は、レンズ９０に入射するとき、各光束２５，３５，４５，５５がレンズ９０を照射する領域範囲を示している。
【００３７】
本実施例では、各光束の反射範囲が反射面内に位置する範囲で、図３（ａ）に示した反射部材８０の角錐の頭頂点８８に可能な限り近くなるように設定することが好ましい。このため、反射面を照射する各光束の照射範囲は、可能な限り小さくなるように設定することが好ましい。
【００３８】
こうすることで、各ランプ２０，３０，４０，５０から射出される各光束２５，３５，４５，５５がレンズ９０に入射する時、図３（ｂ）にて網掛け部分で示した互いに重なる領域を、多くすることができる。従って、４つのランプ２０，３０，４０，５０から射出される照明光は、レンズ９０によって光束の重なりが多い平行光に変換され、照明装置１００から射出する。この結果、各光束２５，３５，４５，５５の殆どがライトバルブ１５を照射するので、照明光の光量ロスが抑制されることになる。
【００３９】
なお、反射面を照射する各光束の照射範囲を小さくすると、照射光による反射面の局所的な温度上昇が大きくなるという熱集中が生ずることが想定される。従って、反射面を照射する各光束の照射範囲の大きさは、反射部材８０の熱変形等が生じない範囲において、可能な限り小さく設定することが好ましい。また、反射部材８０を耐熱性を有する材料で形成するようにしてもよい。
【００４０】
以上、図１から図３を用いて説明したように、本実施例による照明装置１００を備えたプロジェクタ１０によれば、ランプの数に合わせた角錐面数を有する角錐形状の反射部材８０によって、ランプから射出される照明光を光変調デバイスの方向に反射することができる。また、角錐面の大きさに応じて照明光を集光するので、光変調デバイスの方向に反射する照明光の光量ロスが抑制される。従って、ランプの数が増加しても、反射部材８０を、増加したランプの数に応じて角錐面の数を多くした角錐形状とすればよいので、反射部材８０は特段大きくなることがなく、光学系が大きくなることが抑制される。
【００４１】
以上、本発明の実施の形態について実施例を用いて説明したが、本発明はこうした実施例に何ら限定されるものではなく、本発明の趣旨を逸脱しない範囲内において様々な形態で実施し得ることは勿論である。以下、変形例を挙げて説明する。
【００４２】
（第１変形例）
上記実施例では、ランプ２０，３０，４０，５０の光束を、集光手段としての集光レンズ２１，３１，４１，５１をそれぞれ用いて集光し、反射部材８０の反射面に照射するようにしたが、これに限るものでないことは勿論である。例えば、集光手段をランプが備える反射鏡としてもよい。こうすれば、光学部品（集光レンズ）を削減することができる。
【００４３】
本変形例を図４を用いて説明する。図４は、一例として上記実施例の照明装置１００が備えるランプ４０と集光レンズ４１に替えて、ランプ４０１を用いた場合を示した斜視図である。なお、ここでは、ランプ４０についてのみ説明するが、上記実施例の照明装置１００が備えるその他のランプ２０，３０，５０についても同様である。
【００４４】
図示するように、ランプ４０１は、反射鏡４０１Ｈの内面となる光反射面４０１Ｒの形状を楕円（回転楕円）形状とし、その一方の焦点（第１焦点）において、ランプ４０１の発光部４０１Ｌが位置するように形成されている。そして、反射部材８０の反射面８４上にもう一方の焦点（第２焦点）が位置するように配置されている。従って、本変形例では、ランプ４０１から射出した照明光は、集光レンズを用いることなく反射面８４において光束が集光し、反射面で反射されたのちＺ方向に光束４５を射出する。
【００４５】
本変形例では、このように楕円（回転楕円）形状を光反射面とする反射鏡を備えたランプとすることによって、上記実施例と同様に、ランプから射出される照明光を反射部材８０の各反射面に集光し、レンズ９０に対して、光束２５，３５，４５，５５を入射させることができる。
【００４６】
なお、本変形例において、例えばランプ４０１の発光部４０１Ｌが点光源でなく面光源である場合は、第２焦点位置に集光する光束も、発光部４０１Ｌに応じて面領域を有する。従って、実際には、この面領域を考慮して、例えば、光束４５が適切にレンズ９０に対して入射するように、反射部材８０（反射面８４）に対してランプ４０１を配置することが好ましい。
【００４７】
（第２変形例）
上記実施例では、４つのランプを用いるものとして説明したが、これに限らず、３つのランプ、あるいは、４つより多くのランプを用いる場合であっても、同様に反射部材をランプ数に応じた角錐面を有する角錐形状とすればよい。この結果、反射部材が大きくならず、光学系が大きくなることを抑制することができる。
【００４８】
本変形例の一例として、ランプを３つ用いる場合について、図５を用いて説明する。図５は、３つのランプ２０，３０，４０と、ランプの数に対応する３つの反射面７２，７３，７４からなる正三角錐の形状を有する反射部材７０とを示した模式図で、Ｚプラス方向から見た状態を示している。各反射面７２，７３，７４は反射部材７０の底面に対して４５度の傾斜角度を形成し、角錐面つまり反射面の垂線方向であって、ランプから射出する照明光の光軸がＸＹ平面と平行になる位置にそれぞれ配置されている。従って、各ランプ２０，３０，４０の照明光の光軸は、互いに１２０度の角度をなす位置に配置される。このようにランプを配置することによって、ランプの重心位置が、反射部材７０を中心にバランスよく配置されることになり、照明装置１００あるいはプロジェクタ１０において重量バランスが偏ることを抑制することが期待できる。
【００４９】
なお、このように３つのランプを用いる場合、ランプ２０をＲ光に相当する波長光を有する光を射出するランプ、ランプ３０をＧ光に相当する波長光を有する光を射出するランプ、ランプ４０をＢ光に相当する波長光を有する光を射出するランプ、としてもよい。こうすれば、光束２５はＲ光、光束３５はＧ光、光束４５はＢ光となり、これらの光束がレンズ９０に対して重なって入射することから、カラー表示を容易に行うことができる。また、Ｒ光、Ｇ光、Ｂ光のランプがそれぞれ独立していることから、Ｒ光、Ｇ光、Ｂ光の光量を個別に調節することができるので、カラー表示におけるホワイトバランスを容易に調節することも可能である。
【００５０】
（第３変形例）
上記実施例では、反射部材をランプ数に応じた反射面を有する角錐形状として説明したが、これに限らず、反射面の数をランプの数より多い数としてもよい。例えば、ランプが３つの場合は、図６（ａ）に示したように、反射部材を、上記実施例にて用いた４つの反射面を有する正四角錐の形状を有する反射部材８０としてもよい。もとより、４つ以上の反射面を有する角錐形状としても差し支えない。
【００５１】
図６（ａ）は、３つのランプ２０，３０，４０に対して、上記実施例における反射部材８０を用いた例を示した模式図で、それらをＺプラス方向から見た状態を示している。図示するように、各ランプ２０，３０，４０の照明光の光軸は、反射部材８０の反射面に応じて配置され、互いに９０度の角度をなす位置に配置される。このように配置することによって、例えば図５に示したランプの配置状態に比較して、Ｙ方向におけるランプの配置に要する領域が少なくなる。従って、本変形例は、ランプの配置位置に制約がある場合などにおいて、ランプの数よりも多い反射面を設けることによって、反射面に対応してランプの配置位置を調節することが可能である。
【００５２】
さらに、本変形例において、角錐形状を各反射面が同じ形状を有する正四角錐の形状でなく、反射面の形状がそれぞれ異なる四角錐の形状であるものとしてもよい。こうすることによって、それぞれの反射面の垂線の方向を変更することができるので、その反射面に対応するランプの配置位置を調節することが可能となる。
【００５３】
この一例を図６（ｂ）に示した。図示するように、反射面の形状がそれぞれ異なる四角錐形状を有する反射部材８０ａによって、ランプ２０とランプ４０が、Ｙマイナス方向に移動配置される。この結果、図６（ａ）に示したランプの配置状態に比較して、Ｙ方向におけるランプの配置に要する領域をさらに少なくすることができる。
【００５４】
（第４変形例）
上記実施例および変形例では、反射面（角錐面）の傾斜角度を反射部材（角錐）の底面に対して４５度とし、各ランプをＸＹ平面内で配置することとしたが、これに限らず、反射面の傾斜角度を底面に対して４５度よりも大きくしたり小さくしたりしてもよい。こうすれば、各ランプをＺ方向にオフセット配置することができるので、Ｚ方向においてランプの配置位置に制約がある場合に有効である。
【００５５】
本変形例を、図７を用いて説明する。図７は、上記実施例において、反射面の傾斜角度を底面に対して４５度よりも小さくする本変形例を適用した場合の一例を示す模式図である。図７（ａ）は、各ランプ２０，３０，４０，５０と、本変形例で用いる反射部材８０ｂとをＺ方向から見た状態を示し、図７（ｂ）は、それらをＹ方向から見た状態を示している。
【００５６】
図示するように、反射部材８０ｂは、各角錐面つまり反射面のうち、反射面８２と反射面８４とが、反射部材８０ｂの底面に対して４５度よりも小さい傾斜角度に形成されている。従って、ランプ２０の光束２５が照射する反射面８２の垂線方向と、ランプ４０の光束４５が照射する反射面８４の垂線方向とが、Ｚプラス方向に傾く。もとより、説明は省略するが、反射面８２と反射面８４とを、反射部材８０ｂの底面に対して４５度よりも大きい傾斜角度に形成すれば、反対に、ランプ２０とランプ４０とが、Ｚマイナス方向にオフセットされる。
【００５７】
このように、本変形例によれば、各反射面について、反射部材の底面に対する傾斜角度をそれぞれ変更することによって、各ランプをＺプラス方向およびＺマイナス方向に、それぞれ変更した傾斜角度に応じたオフセット量で配置することができるので、ランプの配置位置がＺ方向において制約がある場合に有効となる。
【００５８】
（第５変形例）
上記実施例および変形例では、各ランプが射出する照明光の光量について特に言及しなかったが、用いるランプの光量が異なるものとしても差し支えない。このとき、ランプから射出される照明光について、反射面を照射する時点で集光される光束の面積は、例えば反射面の局所的な温度上昇を抑制する意図から光量に応じて大きくなるものとする。従って本変形例では、光量に応じて反射面形状を異ならせることによって、光量が多い（すなわち反射面の照射時点で光束面積の大きい）照明光に応じて反射面の面積を大きくして、反射時における照明光の光量ロスを抑制する。
【００５９】
本変形例を、図８を用いて説明する。図８は、本変形例を上記第２変形例（図５）に適用した一例を示す模式図であり、３つのランプ２０，３０，４０と、角錐面である３つの反射面７２ａ，７３ａ，７４ａからなる正三角錐の形状を有する反射部材７０ａとを、Ｚプラス方向から見た状態で示している。
【００６０】
３つのランプのうち、ランプ４０は他のランプよりも形状が大きく、照明光の光量が多い。また、反射面７２ａと反射面７３ａは反射部材７０ａの底面に対して４５度の角度を形成しているが、反射面７４ａは、底面に対して４５度よりも小さい角度で形成されている。このように形成することによって、それぞれの反射面は異なる形状を呈する。
【００６１】
この結果、反射面７４ａは、他の反射面７２ａおよび反射面７３ａよりも大きな面積を有することから、反射面７２ａ、あるいは反射面７３ａの面積に対して、ランプ４０の光束４５が照射する反射面７４ａの面積を大きくすることができる。従って、照射光の光量が多いランプ４０に応じて反射面の形状を異ならせてその面積を大きくすることによって、反射面に集光される光束の面積が大きくなっても、集光された光束を反射することができるので、反射時の照明光の光量ロスを抑制することができる。
【００６２】
ここで本変形例において、例えば、ランプ２０をＲ光、ランプ３０をＧ光、のそれぞれの波長を有する照明光を射出するようにし、光量の多いランプ４０をＢ光の波長を有する照明光を射出するようにするとよい。一般的に、Ｂ光の視覚感度は、Ｒ光、Ｇ光に対して低いとされていることから、このようにすることによって、各色の光の視覚感度を均一にさせることができる。なお、本変形例では、反射面７４ａを、反射部材７０ａの底面に対して４５度よりも小さい角度で傾斜させているので、ランプ４０は、Ｚプラス方向にオフセットされる。
【００６３】
（その他の変形例）
上記実施例および変形例では、反射部材が有する角錐形状は、角錐面である反射面が、となり同士で当接するとともに、頭頂点および底面を形成するようにそれぞれ三角形状を有するものとしたが、これに限るものでないことは勿論である。少なくとも反射面に照射される光束を包含する領域範囲を有する角錐面で形成されていればよい。従って、各反射面は、例えば、頭頂点部分を形成しない台形形状であってもよい。また、角錐形状の底面部における角部が削られた多角形の形状であってもよい。
【００６４】
また、上記実施例および上記変形例を組み合わせるようにしてもよい。例えば、反射面の垂線方向を変更するとともに、反射面の底面に対する傾斜角度を変更するようにしてもよい。こうすれば、ＸＹ平面においてランプの配置位置を調節するとともに、Ｚ方向にも同時にオフセットしてランプの配置位置を調節することができるので、調節範囲を広げることができる。
【００６５】
また、上記実施例では、ライトバルブに対して、各ランプからの照明光が重なって照射されるように、Ｚ方向視で、各ランプから射出する照明光の光束がレンズ９０に重なるようにしたが、これに限るものでないことは勿論である。例えば、各ランプから射出される照明光が、Ｚ方向視で、Ｘ方向あるいはＹ方向に隣接するように配置して、ライトバルブ上において分割された照明領域を照明するようにしてもよい。
【図面の簡単な説明】
【００６６】
【図１】本発明の一実施例となる照明装置、およびプロジェクタの構成概要説明図。
【図２】ランプ、集光レンズ、反射部材の配置状況を示した斜視図。
【図３】本実施例の照明装置をＺ方向から見た状態を示した模式図。
【図４】第１変形例の照明装置が用いるランプを示した模式図。
【図５】第２変形例で、３つのランプと３つの角錐面からなる反射部材とを示した模式図。
【図６】第３変形例で、（ａ）は、反射部材を正四角錐形状の反射部材とした模式図、（ｂ）は、反射面の形状がそれぞれ異なる反射部材とした模式図。
【図７】第４変形例を説明するための模式図。
【図８】第５変形例を説明するための模式図。
【符号の説明】
【００６７】
１０…プロジェクタ、１１，１２…レンズ、１５…ライトバルブ、１６…投射レンズ、１８…スクリーン、２０…ランプ、２１…集光レンズ、２５…光束、３０…ランプ、３１…集光レンズ、３５…光束、４０…ランプ、４１…集光レンズ、４５…光束、５０…ランプ、５１…集光レンズ、５５…光束、７０…反射部材、７０ａ…反射部材、７２，７２ａ，７３，７３ａ，７４，７４ａ…反射面、８０，８０ａ，８０ｂ…反射部材、８２…反射面、８４…反射面、８８…頭頂点、９０…レンズ、１００…照明装置、４０１…ランプ、４０１Ｈ…反射鏡、４０１Ｌ…発光部、４０１Ｒ…光反射面。
【図１】
2010073517.tif 000003
【図２】
2010073517.tif 000004
【図３】
2010073517.tif 000005
【図４】
2010073517.tif 000006
【図５】
2010073517.tif 000007
【図６】
2010073517.tif 000008
【図７】
2010073517.tif 000009
【図８】
2010073517.tif 000010